(57)【要約】      （修正有）【課題】立体画像を表示するタッチパネル、および立体画像を提供する。【解決手段】立体画像を表示するタッチパネルは、基板と、各々第１のリターダ領域を持つ第１のセンサパッドを含む第１のセンサストリングと、第２のセンサストリングと、第３のセンサストリングとを含む。第２のセンサストリングは第１のセンサストリングと平行に設けられて、各々が第２のリターダ領域を持つ第２のセンサパッドを含む。第３のセンサストリングは、第１のセンサストリングと第２のセンサストリングと垂直方向に設けられ、各第３のセンサストリングは、交互に配置される第３のセンサパッドと第４のセンサパッドとを含む。各第３のセンサパッドは第１のリターダ領域を含み、各第４のセンサパッドは第２のリターダ領域を含む。【選択図】図１
2012009002.tif 000002
【特許請求の範囲】
【請求項１】
第１面および第２面を有する基板と、
前記基板の前記第１面に設けられた複数の第１のセンサストリングと、
前記基板の前記第１面に、前記複数の第１のセンサストリングに平行に設けられた複数の第２のセンサストリングと、
前記複数の第１のセンサストリングと前記複数の第２のセンサストリングとは垂直方向に、前記基板に設けられた複数の第３のセンサストリングと
を備え、
各第１のセンサストリングは、それぞれ第１のリターダ領域を持つ複数の第１のセンサパッドを含み、
各第２のセンサストリングは、それぞれ第２のリターダ領域を持つ複数の第２のセンサパッドを含み、
前記複数の第３のセンサストリングの各々においては、それぞれ前記第１のリターダ領域を持つ複数の第３のセンサパッドと、それぞれ前記第２のリターダ領域を持つ複数の第４のセンサパッドとが交互に配置されている、立体画像を表示するタッチパネル。
【請求項２】
前記複数の第１のセンサパッド、前記複数の第２のセンサパッド、前記複数の第３のセンサパッド、および前記複数の第４のセンサパッドは、マトリックス状に配置される請求項１に記載の立体画像を表示するタッチパネル。
【請求項３】
前記複数の第１のセンサパッドおよび前記複数の第３のセンサパッドは同じ行に配置されて第１のリターダパターンを形成する請求項２に記載の立体画像を表示するタッチパネル。
【請求項４】
前記複数の第２のセンサパッドおよび前記複数の第４のセンサパッドは同じ行に配置されて第２のリターダパターンを形成する請求項２または３に記載の立体画像を表示するタッチパネル。
【請求項５】
前記第１のセンサストリングおよび前記第２のセンサストリングの間に形成されたピッチをさらに備える請求項１から４の何れか１項に記載の立体画像を表示するタッチパネル。
【請求項６】
前記第３のセンサパッドおよび前記第４のセンサパッドの間に形成された前記ピッチをさらに備える請求項５に記載の立体画像を表示するタッチパネル。
【請求項７】
前記複数の第３のセンサストリングは前記基板の前記第２面に設けられている請求項１から６の何れか１項に記載の立体画像を表示するタッチパネル。
【請求項８】
前記複数の第１のセンサパッドの各々は、それぞれの間に間隙を含み、前記複数の第２のセンサパッドの各々は、それぞれの間に前記間隙を含む請求項１から７の何れか１項に記載の立体画像を表示するタッチパネル。
【請求項９】
前記複数の第３のセンサパッドは、前記複数の第１のセンサパッドの間の前記間隙に対応しており、前記複数の第４のセンサパッドは、前記複数の第２のセンサパッドの間の前記間隙に対応している請求項８に記載の立体画像を表示するタッチパネル。
【請求項１０】
前記複数の第１のセンサパッド、前記複数の第２のセンサパッド、前記複数の第３のセンサパッド、および前記複数の第４のセンサパッドは、複数の液晶分子、複数の感光性モノマー、および複数の透明導電ナノ粒子を含む請求項１から９の何れか１項に記載の立体画像を表示するタッチパネル。
【発明の詳細な説明】
【技術分野】
【０００１】
本発明は、立体画像を表示するタッチパネルに係り、立体画像を提供することのできるタッチセンサ式の液晶表示デバイスに係る。
【背景技術】
【０００２】
表示デバイスが白黒から、カラー、大型、高精細およびフラットディスプレイへの進化を遂げる間に、前にカラーテレビが白黒テレビを淘汰したように、徐々にフラットディスプレイが従来の陰極線管（ＣＲＴ）ディスプレイを淘汰しつつある。この傾向は、臨場感のある視覚体験を追及した結果である。この要求に応えて、観察者の左目および右目に対して２つの別個の画像を個々に提供して観察者が立体視できるようにする立体表示技術も開発されてきた。従って従来の２Ｄ表示環境で３Ｄ立体画像を表示する要望が常に存在している。
【０００３】
加えて、表示パネルを介して信号を入力するタッチパネルが開発されたので、ユーザはキーボード、マウス、またはリモートコントローラといった他の別の入力デバイスを利用する必要なく、画像を見ている間に所望の情報を選択することができるようになった。このように、タッチパネルはユーザフレンドリで、簡単且つ便利なディスプレイの操作という要求を叶えた。
【０００４】
上述したように、立体表示技術は、特定の視覚を追求した結果であり、タッチパネルは便利な操作を追及した結果ではあるが、いずれの方法もフラットディスプレイデバイスで実現されている。しかし、３Ｄ表示技術およびタッチパネルは常に個別に開発されてきており、これまでのところ立体表示法とタッチパネル法とを合体させた表示デバイスは存在していない。
【先行技術文献】
【特許文献】
【０００５】
【特許文献１】米国特許第７，５８０，０８５号明細書
【特許文献２】米国特許第６，０５５，１０３号明細書
【発明の概要】
【０００６】
上述に鑑みて本発明は、立体画像を表示するタッチパネル、および立体画像を提供することのできるタッチセンサ式の液晶表示デバイスを提供する。
【０００７】
本発明の第１の側面においては、立体画像を表示するタッチパネルが提供される。立体画像を表示するタッチパネルは、第１面と第２面とを持つ基板と、複数の第１のセンサストリングと、複数の第２のセンサストリングと、複数の第３のセンサストリングとを含む。複数の第１のセンサストリングは基板の第１面に設けられ、各第１のセンサストリングは、それぞれ第１のリターダ領域を持つ複数のセンサパッドを含む。複数の第２のセンサストリングは複数の第１のセンサストリングと平行に設けられており、基板の第１面に設けられており、各第２のセンサストリングは、それぞれ第２のリターダ領域を持つ複数の第２のセンサパッドを含む。複数の第３のセンサストリングは、複数の第１のセンサストリングと複数の第２のセンサストリングとは垂直方向に設けられ、各第３のセンサストリングは、交互に配置されている複数の第３のセンサパッドと複数の第４のセンサパッドとを含む。各第３のセンサパッドは第１のリターダ領域を含み、各第４のセンサパッドは第２のリターダ領域を含む。
【０００８】
本発明が提供する立体画像を表示するタッチパネルによると、第１のセンサストリング、第２のセンサストリング、および第３のセンサストリングは接触点を検知および特定することができる。さらに、複数の第１のセンサストリング、複数の第２のセンサストリング、および複数の第３のセンサストリングは、第１のリターダパターンおよび第２のリターダパターンを有するマイクロリターダを構築するので、タッチパネルは偏光眼鏡をかけたユーザの両目それぞれに画像を提供することができ、３Ｄ画像が得られる。
【０００９】
本発明のこれらの目的およびその他の目的は、当業者が様々な図面に示された好適な実施形態の以下の詳細な説明を読むことにより明らかとなる。
【図面の簡単な説明】
【００１０】
【図１】本発明の第１の好適な実施形態が提供するマイクロリターダの断面概略図である。
【図２】本発明の第１の好適な実施形態が提供するマイクロリターダの概略図である。
【図３】第１の好適な実施形態が提供する２Ｄ／３Ｄ画像表示システムの概略図である。
【図４】本発明の第２の好適な実施形態が提供する立体画像を表示するタッチパネルの上面概略図である。
【図５】本発明の第２の好適な実施形態が提供する立体画像を表示するタッチパネルの底面概略図である。
【図６】本発明の第２の好適な実施形態が提供する立体画像を表示するタッチパネルの透視概略図である。
【図７】本発明の第２の好適な実施形態が提供する立体画像を表示するタッチパネルの図６のＡ−Ａ'線における断面概略図である。
【図８】本発明の第２の好適な実施形態が提供する２Ｄ／３Ｄ画像表示システムの概略図である。
【発明を実施するための形態】
【００１１】
明細書および添付請求項にわたり、特定のコンポーネントを特定の用語で呼称する。当業者であれば、電子機器製造業者がひとつのコンポーネントを様々な呼称で称する場合があることを理解する。本ドキュメントは呼称が異なるが機能は異ならないコンポーネント間を区別する意図を持たない。以下の記載および請求項において、「〜を含む（include）（comprise）」という用語はオープンエンド形式で利用されており、「〜を含むが、それらに限定されない」という意図で理解されるべきである。
【００１２】
図１から図２は、本発明の第１の好適な実施形態が提供するマイクロリターダの概略図を示しており、図１はマイクロリターダの断面概略図である。図１に示すように、本好適な実施形態が提供するマイクロリターダ１００は、ポリエチレンテレフタレート（ＰＥＴ）基板等の基板１０２を含む。マイクロリターダ１００はさらに、基板１０２上に形成されたポリイミド（ＰＩ）層１０４と、ＰＩ層１０４上に形成された液晶（ＬＣ）層１０６とを含む。マイクロリターダ１００のＬＣ層１０６が複数の液晶分子１１０、複数の感光性モノマー１１２、および複数の透明導電ナノ粒子１１４を含むことは注目に値する。透明導電ナノ粒子１１４は、酸化インジウム錫（ＩＴＯ）ナノ粒子または酸化インジウム亜鉛（ＩＺＯ）ナノ粒子を含みうる。
【００１３】
図１から図２に示すように、フォトマスク１２２を用いてマイクロリターダ１００に光配向処理１２０を行う。光配向処理１２０では、ＬＣ層１０６およびＰＩ層１０４にＵＶ光を照射する。これによりＰＩ層１０４に光学異方性が与えられ、図２の配向層１３０が形成される。光配向処理１２０の後で、透明導電ナノ粒子１１４がＬＣ層１０６に随意に均一に散布され、液晶分子１１０が所望の方向に配列し、透明導電ナノ粒子１１４および液晶分子１１０は感光性モノマー１１２により重合される。こうして複数の第１のリターダパターン１４０と複数の第２のリターダパターン１４２とを有するマイクロリターダ１００が得られる。光配向処理１２０は当業者に公知な技術であるので、ここでは簡略化目的からその詳細は省くこととする。
【００１４】
図２に示すように、第２のリターダパターン１４２は第１のリターダパターン１４０と平行であり、第１のリターダパターン１４０および第２のリターダパターン１４２は交互に、且つ、一定の周期で設けられ、第１のリターダパターン１４０および第２のリターダパターン１４２は互いに異なる位相遅延を提供する。このようにして、特定の細片パターンで位相遅延が交互するマイクロリターダ１００が得られる。しかし当業者であれば、第１のリターダパターン１４０および第２のリターダパターン１４２のパターンおよび配置がこれに限定されないことを理解する。本発明の教示を維持しつつ、第１のリターダパターン１４０および第２のリターダパターン１４２のパターンのパターンおよび配置に修正を加えて３Ｄ画像を向上させることもできる。上述したように、第１のリターダパターン１４０および第２のリターダパターン１４２は互いに異なる位相遅延を提供し、位相遅延はＬＣＤパネルのピクセルに応じて設計される。一例では、第１のリターダパターン１４０はゼロ遅延という第１の遅延量を有し第２のリターダパターン１４２は半波長遅延という第２の遅延量を有するが、本例に限定はされない。
【００１５】
図３は、第１の好適な実施形態が提供する２Ｄ／３Ｄ画像表示システムの概略図である。図３に示すように、好適な実施形態の２Ｄ／３Ｄ画像表示システム２００は、ＬＣＤパネル２１０、マイクロリターダ１００、および偏光眼鏡２２０を含む。偏光眼鏡２２０は、左目偏光子２２２および右目偏光子２２４を含む。図３に示すように、マイクロリターダ１００は、ＬＣＤデバイス２１０に取り付けられており、ＬＣＤデバイス２１０では、第１のリターダパターン１４０および第２のリターダパターン１４２が水平方向に互いに平行に配置されている。好適な実施形態の２Ｄ／３Ｄ画像表示システム２００においては、２Ｄ画像が従来の２Ｄ観察モードで提供される。３Ｄ観察モードでは、２Ｄ／３Ｄ画像表示システム２００は３Ｄ画像を提供するので、偏光眼鏡２２０をかけたユーザは３Ｄ画像を見ることができ、つまり、偏光眼鏡２２０の左目偏光子２２２が、第１のリターダパターン１４０を通過した光をユーザに左目へ入射させ、右目偏光子２２４が、第２のリターダパターン１４２を通過した光をユーザに右目へ入射させることができる。このようにしてユーザが立体視することができる。
【００１６】
図１から図３を再度参照されたい。光配向処理１２０がフォトマスク１２２を用いて行われるので、ＵＶを受けなかったマイクロリターダ１００の部分が、光配向処理１２０後に有機溶剤により除去されることは注目に値する。従って、全ての隣接する第１のリターダパターン１４０および第２のリターダパターン１４２の間にはピッチ１５０が形成されることになる。ピッチ１５０の幅は、ブラックマトリックスにより調節可能である。リターダパターン間にピッチがない従来のマイクロリターダと比べると、隣接する第１のリターダパターン１４０および第２のリターダパターン１４２の間のピッチ１５０により、両目に対して与えられたそれぞれ異なる画像情報間で画像の干渉が生じなくなる。従って、リターダパターン間にピッチのなかった従来のマイクロリターダでは頻発していたゴースト画像が生じなくなる。
【００１７】
好適な実施形態では、マイクロリターダ１００の第１のリターダパターン１４０および第２のリターダパターン１４２は両方とも透明導電ナノ粒子１１４を含むので、マイクロリターダ１００は容量性のタッチパネルとしてとらえることができ、第１のリターダパターン１４０および第２のリターダパターン１４２はこの容量性のタッチパネルのセンサストリングとして機能する。第１のリターダパターン１４０、第２のリターダパターン１４２、および人間の身体の間の容量変化を検知することで、接触点を容易に特定することができる。図３に示すように、第１のリターダパターン１４０および第２のリターダパターン１４２が同じ方向に平行に設けられていることから、好適な実施形態の容量性のタッチパネルは１次元のタッチパネルである。
【００１８】
言い換えると、好適な実施形態の１次元のタッチパネル１００は、交互に配置されてセンサストリングとして機能する第１のリターダパターン１４０および第２のリターダパターン１４２を含む。好適な実施形態のタッチパネル１００はさらに、それぞれ異なる位相遅延を提供するのでマイクロリターダとして機能する。従って、タッチパネル１００がＬＣＤパネル２１０の片面に取り付けられると、２Ｄ／３Ｄ画像表示システム２００が得られ、２Ｄ／３Ｄ画像表示システム２００が２Ｄ観察モードにあるときは、２Ｄ画像および接触制御機能の両方を提供し、２Ｄ／３Ｄ画像表示システム２００が３Ｄ観察モードにあるときには、タッチパネル１００がマイクロリターダとして機能することでさらに波長遅延機能が発揮される。従って偏光眼鏡２２０をかけたユーザは高精細３Ｄ画像を干渉なしに見ることができる。簡潔に言うと、好適な実施形態は、マイクロリターダとタッチパネルとを、複雑な製造プロセスなしに統合する。タッチパネル１００が従来の表示パネルに取り付けられると、接触制御機能のみならず波長遅延機能も発揮される。
【００１９】
図４から図７は、本発明の第２の好適な実施形態が提供する立体画像を表示するタッチパネルの概略図が示されており、図４はタッチパネルの上面図であり、図５はタッチパネルの底面図であり、図６はタッチパネルの透視図であり、図７は、タッチパネルの図６のＡ−Ａ'線における断面図である。先ず図４および図７を参照されたい。好適な実施形態が提供するタッチパネル３００は、ＰＥＴ基板等の基板３０２を含み、基板３０２は第１面３０２ａと第２面３０２ｂとを含む。配向層３０４ａ、複数の第１のセンサストリング３１０、および複数の第２のセンサストリング３２０が基板３０２の第１面３０２ａに形成されている。第１の好適な実施形態では第１のセンサストリング３１０および第２のセンサストリング３２０が形成され、先ずは、ＰＩ層（不図示）が第１面３０２ａに形成され、複数の液晶分子と複数の感光性モノマーと複数の透明導電ナノ粒子とを有するＬＣ層（不図示）がＰＩ層の上に順に形成される。そしてＰＩ層およびＬＣ層に対して光配向処理を施し、次に、光配向処理の施されなかったＬＣ層の部分を除去する。このようにして図４から図７に示すように配向層３０４ａ、第１のセンサストリング３１０、および第２のセンサストリング３２０が形成される。第１のセンサストリング３１０および第２のセンサストリング３２０は互いに平行であり、交互に配置されている事には注目に値する。さらに図４から図８に示すように、隣接する第１のセンサストリング３１０および第２のセンサストリング３２０の間にはピッチ３４０が形成される。ピッチ３４０の幅は、ＬＣＤパネル４１０のブラックマトリックス４１４により調節可能である（図８に示す丸３８０を参照）が、これに限定はされない。
【００２０】
さらに図４から図７を参照して説明を続けると、各第１のセンサストリング３１０は複数の第１のセンサパッド３１２を含み、各第２のセンサストリング３２０は複数の第２のセンサパッド３２２を含む。第１のセンサパッド３１２は互いにそれぞれブリッジ電極（不図示）により電気的に接続されており、第２のセンサパッド３２２は互いにそれぞれ別のブリッジ電極（不図示）により電気的に接続されている。第１の好適な実施形態では第１のセンサパッド３１２および第２のセンサパッド３２２は光配向処理により形成されるので、第１のセンサパッド３１２の液晶分子は所望の方向に配列することになる。従って第１のセンサパッド３１２はそれぞれ第１のリターダ領域を含む。同様に、第２のセンサパッド３２０もそれぞれ第２のリターダ領域を含む。図４から図７に示すように、各第１のセンサパッド３１２はそれぞれの間に間隙３５０を含み、各第２のセンサパッド３２２もそれぞれの間に間隙３５０を含む。第１のセンサパッド３１２、第２のセンサパッド３２２、および間隙３５０が全て同じサイズであり、このサイズがＬＣＤパネルのピクセルに応じて調節可能である点は注目に値する。例えば、第１のセンサパッド３１２、第２のセンサパッド３２２、および間隙３５０のサイズは、図８の丸３８０が示すように、ＬＣＤパネル４１０のピクセル領域４１２Ｒ／４１２Ｇ／４１２Ｂのものと同じである。
【００２１】
次に図５から図７を参照されたい。配向層３０４ｂと、第１のセンサストリング３１０および第２のセンサストリング３２０に垂直な複数の第３のセンサストリング３３０とが基板３０２の第２面３０２ｂに順に形成されている。各第３のセンサストリング３３０は、交互に配置された複数の第３のセンサパッド３３２および複数の第４のセンサパッド３３４を含む。隣接する第３のセンサパッド３３２および第４のセンサパッド３３４の間には、ピッチ３４０が形成されており、ピッチ３４０はＬＣＤパネルのブラックマトリックスに対応している。第３のセンサパッド３３２および第４のセンサパッド３３４は互いにそれぞれブリッジ電極（不図示）により接続されている。第３のセンサストリング３３０は第１の好適な実施形態では光配向処理により形成されるので、第３のセンサパッド３３２はそれぞれ第１のリターダ領域を含み、第４のセンサパッド３３４はそれぞれ第２のリターダ領域を含む。第３のセンサストリング３３０それぞれの間に間隙３５０が形成される点は注目に値する。第３のセンサパッド３３２および第４のセンサパッド３３４は、第１のセンサパッド３１２間、および第２のセンサパッド３２２間の間隙３５０に対応するよう配置される。より詳しくは、第３のセンサパッド３３２は、第１のセンサパッド３１２間の間隙３５０に対応する位置に設けられ、第４のセンサパッド３３４は、第２のセンサパッド３２２間の間隙３５０に対応する位置に設けられる。
【００２２】
好適な実施形態が提供する立体画像を表示するタッチパネル３００においては、第１のセンサストリング３１０および第２のセンサストリング３２０が、基板３０２の第１面３０２ａに設けられるので、接触点の特定が、第１のセンサパッド３１２および第２のセンサパッド３２２により第１面３０２ａ上の容量変化が検知されることにより行われる。つまり、第１のセンサストリング３１０および第２のセンサストリング３２０を利用して、水平方向等の第１の方向の接触点が検知される。第３のセンサストリング３３０が基板３０２の第２面３０２ｂに設けられていることから、第３のセンサパッド３３２および第４のセンサパッド３３４を用いて、垂直方向等の第２の方向の接触点が検知される。このようにして、好適な実施形態の容量性のタッチパネル３００は２次元の接触制御機能を提供する、つまり、マルチタッチ制御機能を提供する。
【００２３】
好適な実施形態では、第１のセンサパッド３１２、第２のセンサパッド３２２、第３のセンサパッド３３２、および第４のセンサパッド３３４が矩形形状に形成されているが、これに限定はされない。例えば、好適な実施形態の第１のセンサパッド３１２、第２のセンサパッド３２２、第３のセンサパッド３３２、および第４のセンサパッド３３４が、従来の菱形形状に設けられていてもよい。加えて好適な実施形態では、第１のセンサストリング３１０および第２のセンサストリング３２０が第１面３０２ａに設けられ、第３のセンサストリング３３０が第２面３０２ｂに設けられている。しかしこれに限定されず、第１のセンサストリング３１０、第２のセンサストリング３２０、および第３のセンサストリング３３０を全て第１面３０２ａに設けることもできる。
【００２４】
図６を参照されたい。第１面３０２ａに設けられた第１のセンサストリング３１０および第２のセンサストリング３２０と、第２面３０２ｂに設けられた第３のセンサストリング３３０とが、図６に示すように互いに重畳されており、第１のセンサパッド３１２、第２のセンサパッド３２２、第３のセンサパッド３３２、および第４のセンサパッド３３４は、マトリックス状に配置されている。第１のセンサパッド３１２および第３のセンサパッド３３２が同じ行に配置されて第１のリターダパターン３６０を形成し、第２のセンサパッド３２２および第４のセンサパッド３３４が同じ行に配置されて第２のリターダパターン３６２を形成している。隣接する第１のリターダパターン３６０および第２のリターダパターン３６２の間にはピッチ３４０が設けられている。図６に示すように、好適な実施形態における立体画像を表示するタッチパネル３００の第１のリターダパターン３６０および第２のリターダパターン３６２は交互に設けられている。上述したように、第１のリターダパターン３６０および第２のリターダパターン３６２は互いに異なる位相遅延を提供し、位相遅延はＬＣＤパネルのピクセルに応じて設計される。一例では、第１のリターダパターン３６０はゼロ遅延という第１の遅延量を有し第２のリターダパターン３６２は半波長遅延という第２の遅延量を有する。このようにして、好適な実施形態のタッチパネル３００はさらに、波長遅延機能を発揮するマイクロリターダとしても機能する。
【００２５】
図８は、本発明の第２の好適な実施形態が提供する２Ｄ／３Ｄ画像表示システムの概略図である。好適な実施形態の２Ｄ／３Ｄ画像表示システム４００は、ＬＣＤパネル４１０、タッチパネル３００、および偏光眼鏡４２０を含む。偏光眼鏡４２０は、左目偏光子４２２および右目偏光子４２４を含む。図８が示すように、タッチパネル３００はＬＣＤデバイス４１０の片面に取り付けられており、第１のリターダパターン３６０および第２のリターダパターン３６２が水平方向に互いに平行に配置されている。好適な実施形態の２Ｄ／３Ｄ画像表示システム４００においては、２Ｄ画像が従来の２Ｄ観察モードで提供される。３Ｄ観察モードでは、２Ｄ／３Ｄ画像表示システム４００は３Ｄ画像を提供するので、偏光眼鏡４２０をかけたユーザは３Ｄ画像を見ることができ、つまり、偏光眼鏡４２０の左目偏光子４２２は、第１のリターダパターン３６０を通過した光をユーザに左目へ入射させ、右目偏光子４２４は、第２のリターダパターン３６２を通過した光をユーザに右目へ入射させることができる。このようにしてユーザが立体視することができる。さらに第１のリターダパターン３６０および第２のリターダパターン３６２の間にピッチ３４０が設けられることにより、両目の間の干渉に起因するゴースト画像という問題が生じなくなる。
【００２６】
従って、好適な実施形態が提供する立体画像を表示するタッチパネル３００は、第１のセンサストリング３１０および第２のセンサストリング３２０を用いて水平方向の接触点を特定し、第３のセンサストリング３３０を用いて垂直方向の接触点を特定する容量性のタッチパネルであるので、マルチタッチ制御機能を提供する。さらに、第１のセンサストリング３１０、第２のセンサストリング３２０、および第３のセンサストリング３３０が重畳されることで第１のリターダパターン３６０および第２のリターダパターン３６２が形成されることから、好適な実施形態のタッチパネル３００はさらに、波長遅延機能を提供するマイクロリターダとしても機能する。タッチパネル３００がＬＣＤパネル４１０に取り付けられると、２Ｄ／３Ｄ画像表示システム４００が得られ、２Ｄ／３Ｄ画像表示システム４００が２Ｄ観察モードにあるときは、２Ｄ画像および接触制御機能の両方を提供し、２Ｄ／３Ｄ画像表示システム４００が３Ｄ観察モードにあるときには、タッチパネル３００がマイクロリターダとして機能することでさらに波長遅延機能が発揮される。従って偏光眼鏡２２０をかけたユーザは高精細３Ｄ画像を干渉なしに見ることができる。簡潔に言うと、好適な実施形態は、マイクロリターダとタッチパネルとを、複雑な製造プロセスなしに統合する。タッチパネル３００が従来の表示パネルに取り付けられると、接触制御機能のみならず波長遅延機能も発揮される。
【００２７】
本発明が提供する立体画像を表示するタッチパネルおよび立体画像を提供することのできるタッチセンサ式ＬＣＤデバイスによれば、第１のセンサストリング、第２のセンサストリング、および第３のセンサストリングは、接触点を検知および特定することができる。さらに、第１のセンサストリング、第２のセンサストリング、および第３のセンサストリングは、第１のリターダパターンおよび第２のリターダパターンを有するマイクロリターダを構築するので、タッチパネルは、偏光眼鏡をかけたユーザの両目にそれぞれ画像を提供することができ、３Ｄ画像が得られる。
【００２８】
当業者であれば、本発明の教示を維持しつつデバイスおよび方法の変形および変更を数多く行うことができることを容易に理解する。
【図１】
2012009002.tif 000003
【図２】
2012009002.tif 000004
【図３】
2012009002.tif 000005
【図４】
2012009002.tif 000006
【図５】
2012009002.tif 000007
【図６】
2012009002.tif 000008
【図７】
2012009002.tif 000009
【図８】
2012009002.tif 000010